(57)【特許請求の範囲】
【請求項１】
放送番組と当該放送番組に関する情報である番組情報とを受信するとともに、放送された番組放送を録画し、録画した前記番組放送を再生する情報再生装置であって、
他の機器のリモコン信号を受信する信号受信手段と、
時刻を知らせる時計手段と、
前記信号受信手段によって受信した他の機器のリモコン信号と、前記時計手段の時刻と、前記番組情報とから、他の機器で利用者が視聴している番組を特定する番組特定手段と、
データを記憶する記憶手段と、
前記番組情報に基づいて、前記番組特定手段によって特定された番組に関する、利用者の好みを反映した嗜好情報を、前記記憶手段に記録する嗜好蓄積手段と、
前記記憶手段に記録された嗜好情報を用いて番組表を作成する番組表作成手段と、を備えた、ことを特徴とする情報再生装置。
【請求項２】
放送番組と当該放送番組に関する情報である番組情報とを受信するとともに、放送された番組放送を録画し、録画した前記番組放送を再生する情報再生装置であって、
他の機器のリモコン信号を受信する信号受信手段と、
前記信号受信手段が他の機器のリモコン信号を受信したとき、他の機器で現在再生されている番組放送の音声と、該情報再生装置で現在受信している番組放送の音声とを比較し、他の機器で視聴されている番組を特定する音声マッチング手段と、
データを記憶する記憶手段と、
前記音声マッチング手段によって特定された番組に関する、利用者の好みを反映した嗜好情報を、前記記憶手段に記録する嗜好蓄積手段と、
前記記憶手段に記録された嗜好情報を用いて番組表を作成する番組表作成手段と、を備えたことを特徴とする情報再生装置。
【請求項３】
請求項１または請求項２に記載の情報再生装置において、
前記嗜好情報は、放送番組の番組名、ジャンル、或いはキーワードに対する、利用者の視聴履歴を反映した情報である、ことを特徴とする情報再生装置。
【請求項４】
請求項１または請求項２に記載の情報再生装置において、
前記嗜好情報は、前記番組表作成手段と前記嗜好蓄積手段が、前記記憶手段に記録されている嗜好情報を管理するために用いる嗜好情報識別子と、
放送番組の番組名、ジャンル、或いはキーワードに対する、利用者の視聴履歴を表す嗜好データとからなる、ことを特徴とする情報再生装置。
【請求項５】
請求項４に記載の情報再生装置において、
前記嗜好データは、放送番組の番組名、ジャンル、或いはキーワードに対する、通算視聴回数である、ことを特徴とする情報再生装置。
【請求項６】
請求項４に記載の情報再生装置において、
前記嗜好データは、放送番組の番組名、ジャンル、或いはキーワードに対する、視聴開始時からの通算視聴時間である、ことを特徴とする情報再生装置。
【請求項７】
請求項１に記載の情報再生装置において、
前記番組特定手段は、前記信号受信手段からチャンネルを切り替える旨を指示するリモコン信号を受けた後、一定の時間内に、他の新たなチャンネルを切り替える旨を指示するリモコン信号を受信しなかった場合に動作する、ことを特徴とする情報再生装置。
【請求項８】
請求項２に記載の情報再生装置において、
前記音声マッチング手段は、前記信号受信手段からチャンネルを切り替える旨を指示するリモコン信号を受けた後、一定の時間内に、他の新たなチャンネルを切り替える旨を指示するリモコン信号を受信しなかった場合に動作する、ことを特徴とする情報再生装置。
【請求項９】
請求項２に記載の情報再生装置において、
前記音声マッチング手段は、さらに、他の機器で視聴されている番組を特定した後に、当該番組のチャンネルと、前記信号受信手段が受信したリモコン信号とを対にして、前記記憶手段に記憶するとともに、
該情報再生装置は、
時刻を知らせる時計手段と、
前記記憶手段に記憶した、チャンネルとリモコン信号とを対にした情報に基づいて、前記信号受信手段が受信したリモコン信号が初めて受信するものであるか否かを判別し、受信したリモコン信号が初めて受信するリモコン信号である場合には、前記音声マッチング手段に番組を特定する旨を通知し、受信したリモコン信号が初めて受信するリモコン信号でない場合には、前記記憶手段に記憶されているリモコン信号に対応するチャンネルと前記時計手段の時刻と前記番組情報とから、他の機器で利用者が視聴している番組を特定して嗜好蓄積手段に該特定した番組を通知する、信号解析手段とをさらに備える、ことを特徴とする情報再生装置。
【請求項１０】
請求項９に記載の情報再生装置において、
前記信号解析手段は、前記信号受信手段からチャンネルを切り替える旨を指示するリモコン信号を受けた後、一定の時間内に、他の新たなチャンネルを切り替える旨を指示するリモコン信号を受信しなかった場合に動作する、ことを特徴とする情報再生装置。
【請求項１１】
請求項２または請求項１０に記載の情報再生装置において、
前記音声マッチング手段は、他の機器で現在再生されている番組放送の音声と、情報再生装置で現在受信している番組放送の音声とが一致するまで、該情報再生装置の受信チャンネルを切り替えながら音声の比較を行うことにより他の機器で視聴されている番組を特定する、ことを特徴とする情報再生装置。
【請求項１２】
請求項２または請求項１０に記載の情報再生装置において、
前記音声マッチング手段は、他の機器で現在再生されている番組放送の音声と、該情報再生装置で現在受信することが可能な全ての番組放送の音声とを比較し、もっとも一致するものを他の機器で現在再生されている番組であると特定する、ことを特徴とする情報再生装置。
【請求項１３】
請求項１１または請求項１２に記載の情報再生装置において、
前記音声マッチング手段は、他の機器で現在再生されている番組を一つに特定できない場合には、一定の時間経過後、改めて番組の特定を行う、ことを特徴とする情報再生装置。
【請求項１４】
請求項２、または請求項１１から請求項１３のいずれかに記載の情報再生装置において、
前記音声マッチング手段は、他の機器のイヤホンジャックから出力される音声と、該情報再生装置で現在受信している番組放送の音声とを比較し、他の機器で視聴されている番組を特定する、ことを特徴とする情報再生装置。
【請求項１５】
請求項１１ないし請求項１３のいずれかに記載の情報再生装置において、
前記音声マッチング手段は一回前に特定した番組のチャンネルを保持し、特定した番組のチャンネルが、前記保持したチャンネルと同じであるならば、前記嗜好蓄積手段に嗜好情報の記録を行うことを通知しない、ことを特徴とする情報再生装置。
【請求項１６】
請求項１５に記載の情報再生装置において、
前記音声マッチング手段は、特定した番組のチャンネルが、一回前に特定した番組のチャンネルと同じである場合には、前記信号受信手段が受信したリモコン信号がチャンネルを切り替える旨の信号でないものとして前記記憶手段に記憶させる、ことを特徴とする情報再生装置。
【発明の詳細な説明】
【０００１】
【発明の属する技術分野】
本発明は、放送される番組に関する番組情報をもとに番組放送を録画し、また録画した前記番組放送を再生する情報再生装置に関するものである。
【０００２】
【従来の技術】
最近普及し始めたデジタルテレビ放送で用いられるＥＰＧ（Electronic Program Guide）を利用して、番組放送を録画や再生をすることができる装置として、ハードディスクレコーダが提供され始めている。このハードディスクレコーダは、利用者が選択した番組の視聴予約や録画予約をすることができるとともに、録画した番組を再生できるものである。また、番組の視聴予約や録画予約をする際には、ＥＰＧを利用することにより、利用者が指定したジャンルやキーワードに関連する番組を表示画面上で検索することができるとともに、各チャンネル別の番組表や各番組の出演者や概要などの情報を利用者が調べることができる。また、既にハードディスク内に記録されている番組をジャンルやキーワード別に検索することも可能である。
【０００３】
ところで、放送されるチャンネル数はデジタル圧縮技術の利用などにより増加の傾向にあり、今後ますます利用者が視聴できる番組数は増加するものと予想される。そして、このような多チャンネル化が進んでいる状況下においては、上述した従来のハードディスクレコーダのジャンルやキーワード等を用いた番組検索よりも、さらに、利用者が所望する番組を効率よく検索することができる方法が望まれている。
【０００４】
そこで、このようなハードディスクレコーダの番組検索の利便性をさらに高める方法として、特開２０００−２５３３２５号公報に記載された「電子番組ガイド受信システム」がある。この特開２０００−２５３３２５号公報に記載された「電子番組ガイド受信システム」によれば、利用者がＥＰＧを利用して番組選択を行った場合に、その操作履歴を取得し、当該操作履歴とＥＰＧに含まれる情報から利用者の嗜好を反映した番組ガイドを利用者に提供するものであり、利用者が所望のチャンネルを効率よく視聴することが可能となる。
【０００５】
【発明が解決しようとする課題】
しかしながら、特開２０００−２５３３２５号公報に開示された「電子番組ガイド受信システム」は、この電子番組ガイド受信システムを利用しているときにしか利用者の操作履歴を蓄積することができず、このシステムを使いつづけなければ利用者の嗜好を反映した番組ガイドを利用者に提供することができないという問題点を有していた。例えば、他の機器（例えばテレビ）を日常的に視聴する利用者が、急にこのシステムを利用しようとしたところで、利用者の嗜好がシステムに蓄積されていないため、多チャンネルの中、利用者の好む番組を効率よく検索したり、表示したりすることはできなかった。
【０００６】
本発明は、前記問題点に鑑みてなされたものであり、他の機器を視聴しているときであっても、利用者の番組に対する嗜好を蓄積することができ、利用者が番組検索を行う場合の利便性をさらに強化して、利用者による、より快適な番組放送の視聴を可能とする情報再生装置を提供することを目的とする。
【０００７】
【課題を解決するための手段】
上記課題を達成するため、本発明の請求項１にかかる情報再生装置は、放送番組と当該放送番組に関する情報である番組情報とを受信するとともに、放送された番組放送を録画し、録画した前記番組放送を再生する情報再生装置であって、他の機器のリモコン信号を受信する信号受信手段と、時刻を知らせる時計手段と、前記信号受信手段によって受信した他の機器のリモコン信号と、前記時計手段の時刻と、前記番組情報とから、他の機器で利用者が視聴している番組を特定する番組特定手段と、データを記憶する記憶手段と、前記番組情報に基づいて、前記番組特定手段によって特定された番組に関する利用者の好みを反映した嗜好情報を、前記記憶手段に記録する嗜好蓄積手段と、前記記憶手段に記録された嗜好情報を用いて番組表を作成する番組表作成手段とを備えることを特徴とするものである。
【０００８】
また、本発明の請求項２にかかる情報再生装置は、放送番組と当該放送番組に関する情報である番組情報とを受信するとともに、放送された番組放送を録画し、録画した前記番組放送を再生する情報再生装置であって、他の機器のリモコン信号を受信する信号受信手段と、前記信号受信手段が他の機器のリモコン信号を受信したとき、他の機器で現在再生されている番組放送の音声と、該情報再生装置で現在受信している番組放送の音声とを比較し、他の機器で視聴されている番組を特定する音声マッチング手段と、データを記憶する記憶手段と、前記音声マッチング手段によって特定された番組に関する、利用者の好みを反映した嗜好情報を、前記記憶手段に記録する嗜好蓄積手段と、前記記憶手段に記録された嗜好情報を用いて番組表を作成する番組表作成手段とを備えることを特徴とするものである。
【０００９】
また、本発明の請求項３にかかる情報再生装置は、請求項１または請求項２に記載の情報再生装置において、前記嗜好情報は、放送番組の番組名、ジャンル、或いはキーワードに対する、利用者の視聴履歴を反映した情報であることを特徴とするものである。
【００１０】
また、本発明の請求項４にかかる情報再生装置は、請求項１または請求項２に記載の情報再生装置において、前記嗜好情報は、前記番組表作成手段と前記嗜好蓄積手段が、前記記憶手段に記録されている嗜好情報を管理するために用いる嗜好情報識別子と、放送番組の番組名、ジャンル、或いはキーワードに対する、利用者の視聴履歴を表す嗜好データとからなることを特徴とするものである。
【００１１】
また、本発明の請求項５にかかる情報再生装置は、請求項４に記載の情報再生装置において、前記嗜好データは、放送番組の番組名、ジャンル、或いはキーワードに対する、通算視聴回数であることを特徴とするものである。
【００１２】
また、本発明の請求項６にかかる情報再生装置は、請求項４に記載の情報再生装置において、前記嗜好データは、放送番組の番組名、ジャンル、或いはキーワードに対する、視聴開始時からの通算視聴時間であることを特徴とするものである。
【００１３】
また、本発明の請求項７にかかる情報再生装置は、請求項１に記載の情報再生装置において、前記番組特定手段は、前記信号受信手段からチャンネルを切り替える旨を指示するリモコン信号を受けた後、一定の時間内に、他の新たなチャンネルを切り替える旨を指示するリモコン信号を受信しなかった場合に動作することを特徴とするものである。
【００１４】
また、本発明の請求項８にかかる情報再生装置は、請求項２に記載の情報再生装置において、前記音声マッチング手段は、前記信号受信手段からチャンネルを切り替える旨を指示するリモコン信号を受けた後、一定の時間内に、他の新たなチャンネルを切り替える旨を指示するリモコン信号を受信しなかった場合に動作することを特徴とするものである。
【００１５】
また、本発明の請求項９にかかる情報再生装置は、請求項２に記載の情報再生装置において、前記音声マッチング手段は、さらに、他の機器で視聴されている番組を特定した後に、当該番組のチャンネルと、前記信号受信手段が受信したリモコン信号とを対にして、前記記憶手段に記憶するとともに、該情報再生装置は、時刻を知らせる時計手段と、前記記憶手段に記憶した、チャンネルとリモコン信号とを対にした情報に基づいて、前記信号受信手段が受信したリモコン信号が初めて受信するものであるか否かを判別し、受信したリモコン信号が初めて受信するリモコン信号である場合には、前記音声マッチング手段に番組を特定する旨を通知し、受信したリモコン信号が初めて受信するリモコン信号でない場合には、前記記憶手段に記憶されているリモコン信号に対応するチャンネルと前記時計手段の時刻と前記番組情報とから、他の機器で利用者が視聴している番組を特定して嗜好蓄積手段に該特定した番組を通知する、信号解析手段とをさらに備えることを特徴とするものである。
【００１６】
また、本発明の請求項１０にかかる情報再生装置は、請求項９に記載の情報再生装置において、前記信号解析手段は、前記信号受信手段からチャンネルを切り替える旨を指示するリモコン信号を受けた後、一定の時間内に、他の新たなチャンネルを切り替える旨を指示するリモコン信号を受信しなかった場合に動作することを特徴とするものである。
【００１７】
また、本発明の請求項１１にかかる情報再生装置は、請求項２または請求項１０に記載の情報再生装置において、前記音声マッチング手段は、他の機器で現在再生されている番組放送の音声と、情報再生装置で現在受信している番組放送の音声とが一致するまで、該情報再生装置の受信チャンネルを切り替えながら音声の比較を行うことにより他の機器で視聴されている番組を特定することを特徴とするものである。
【００１８】
また、本発明の請求項１２にかかる情報再生装置は、請求項２または請求項１０に記載の情報再生装置において、前記音声マッチング手段は、他の機器で現在再生されている番組放送の音声と、該情報再生装置で現在受信することが可能な全ての番組放送の音声とを比較し、もっとも一致するものを他の機器で現在再生されている番組であると特定することを特徴とするものである。
【００１９】
また、本発明の請求項１３にかかる情報再生装置は、請求項１１または請求項１２に記載の情報再生装置において、前記音声マッチング手段は、他の機器で現在再生されている番組を一つに特定できない場合には、一定の時間経過後、改めて番組の特定を行うことを特徴とするものである。
【００２０】
また、本発明の請求項１４にかかる情報再生装置は、請求項２、または請求項１１から請求項１３のいずれかに記載の情報再生装置において、前記音声マッチング手段は、他の機器のイヤホンジャックから出力される音声と、該情報再生装置で現在受信している番組放送の音声とを比較し、他の機器で視聴されている番組を特定することを特徴とするものである。
【００２１】
また、本発明の請求項１５にかかる情報再生装置は、請求項１１ないし請求項１３のいずれかに記載の情報再生装置において、前記音声マッチング手段は一回前に特定した番組のチャンネルを保持し、特定した番組のチャンネルが、前記保持したチャンネルと同じであるならば、前記嗜好蓄積手段に嗜好情報の記録を行うことを通知しないことを特徴とするものである。
【００２２】
また、本発明の請求項１６にかかる情報再生装置は、請求項１５に記載の情報再生装置において、前記音声マッチング手段は、特定した番組のチャンネルが、一回前に特定した番組のチャンネルと同じである場合には、前記信号受信手段が受信したリモコン信号がチャンネルを切り替える旨の信号でないものとして前記記憶手段に記憶させることを特徴とするものである。
【００２３】
【発明の実施の形態】
以下、本発明の実施の形態について図面を参照しながら説明する。尚、ここで示す実施の形態はあくまでも一例であって、必ずしもこの実施の形態に限定されるものではない。また以下の説明における情報再生装置は、いわゆるハードディスクレコーダであるものとするが、必ずしもこれに限定されるものではない。
【００２４】
（実施の形態１）
以下に、本発明の実施の形態１による情報再生装置について、図１から図８を用いて説明する。
図１は、本実施の形態１による情報再生装置１００の構成を示すブロック図である。
【００２５】
図１において、情報再生装置１００は、例えば、ハードディスクレコーダであり、番組放送と多重して送信されるＥＰＧに含まれる情報、及び利用者の嗜好に基づいて作成した番組表をテレビ等の外部機器１１３に表示するとともに、放送される番組の録画予約を受け付け録画したり、録画した番組を再生して外部機器１１３に表示するものである。
【００２６】
そして、このような情報再生装置１００は、操作部１０１と、入力制御部１０２と、番組受信部（チューナ）１０３と、情報記録部１０４と、記憶部（ハードディスク）１０５と、信号受信部１０６と、番組特定部１０７と、嗜好蓄積部１０８と、情報再生部１０９と、番組表作成部１１０と、時計部１１１とからなる。
【００２７】
以下、これら各部について説明する。
操作部１０１は、例えば、利用者が利用するリモコンやフロントパネルなどであり、利用者がリモコン等を操作することにより発信される操作信号を入力制御部１０２に出力する。なお、この操作信号としては、所望の番組の録画を指示する信号や、ＥＰＧに基づく番組ガイドの表示を指示する信号、或いは録画した番組の再生を指示する信号等がある。
入力制御部１０２は、操作部１０１から出力される操作信号に基づいて、情報記録部１０４、情報再生部１０９、及び番組表作成部１１０を制御する。
【００２８】
番組受信部（チューナ）１０３は、番組放送とこれに付加されたＥＰＧを受信する。
情報記録部１０４は、番組放送に付加されたＥＰＧを記録装置１０５に記録するとともに、入力制御部１０２の制御に基づいて、利用者によって指示された番組放送を記憶部１０５に記録する。
記憶部（ハードディスク）１０５は、番組受信部１０３によって受信された番組放送やＥＰＧを記憶したり、後述する嗜好蓄積部１０８によって作成された嗜好情報を記憶する。
信号受信部１０６は、テレビ等の外部機器１１３を操作するリモコン装置１１２のリモコン信号を受信する。
【００２９】
番組特定部１０７は、リモコン装置１１２のコードテーブルを有し、テレビ等の外部機器１１３で表示されている放送番組のチャンネルを、信号受信部１０６によって受信したリモコン装置１１２のリモコン信号、及びリモコン装置１１２のコードテーブルに基づいて特定し、当該特定したチャンネル、時計部１１１の時刻、及び記憶部１０５に記憶されたＥＰＧに基づいて利用者がテレビ等の外部機器１１３で視聴している番組を特定する。
【００３０】
嗜好蓄積部１０８は、番組特定部１０７によって特定された番組と、ＥＰＧに含まれる各番組のジャンルやキーワード等を示す情報とに基づいて、利用者が視聴している番組のジャンルやキーワード等の利用者の嗜好情報を記憶部１０５に記録する。
情報再生部１０９は、入力制御部１０２の制御に基づいて、記憶部１０５に記録されている既に録画済の番組放送を再生し、外部機器１１３に出力する。
【００３１】
番組表作成部１１０は、記憶部１０５に記憶されているＥＰＧと利用者の嗜好情報とに基づいて、利用者の嗜好を反映した番組表を作成して外部機器１１３に出力する。
時計部１１１は、時刻を刻むタイマであり、番組特定部１０７等の要求に応じて時刻を知らせるものである。
【００３２】
以下、このような情報再生装置１００の動作について説明する。
まず始めに、情報再生装置により利用者が外部機器１１３で視聴している番組を特定する動作について説明する。なお、ここでは外部機器１１３として地上波放送を受信し、表示するテレビを想定するが、例えば、チューナー内蔵のパソコン等、少なくとも情報再生装置１００が受信するＥＰＧと対応する番組放送を受信し、利用者がリモコン装置によって指定する所定の番組を表示するものであればよい。
【００３３】
利用者は、リモコン装置１１２を操作することによりリモコン信号を外部機器１１３に発信し、外部機器１１３のチャンネルを切り替えて、利用者が視聴を所望する番組を外部機器１１３に表示する。このとき、信号受信部１０６は、このリモコン装置１１２から発信されたリモコン信号を同時に受信する。なお、ここで、外部機器１１３は情報再生装置１００の近傍に設置されているものとし、情報再生装置１００と外部機器１１３との具体的な設置位置としては、リモコン装置１１２からのリモコン信号を、情報再生装置１００及び外部機器１１３が同時に受信可能な位置であれば良い。
【００３４】
リモコン信号を受信した信号受信部１０６は当該受信したリモコン信号を番組特定部１０７に出力する。そして、信号受信部１０６からのリモコン信号の出力を受けた番組特定部１０７は、番組特定部１０７が保持するリモコン装置１１２のコードテーブルから外部機器１１３で起きた動作を特定するとともに、当該特定した外部機器１１３の動作がチャンネル切り替えである場合には、該切り替え先のチャンネルで表示される放送番組を特定して、嗜好蓄積部１０８に出力する。
【００３５】
以下に、この番組特定部の動作についてさらに詳しく説明する。
図２はリモコン装置１１２のコードテーブルの一例を示すものである。
図２に示すように、一般的なリモコン装置１１２が送信するデータは、メーカーごとに決められたカスタムコード２０２と機器に対する命令を示すデータコード２０３の要素からなる。このうち、データコード２０２はリモコン装置１１２のボタン２０１ごとに割り当てられ、信号を受け取った外部機器１１３では対応する機器側の動作２０４が行われる。
【００３６】
そして、情報再生装置１００の番組特定部１０７は、この外部機器１１３が持つコードテーブルと同じコードテーブルを予め保持しており、信号受信部１０６から出力されたリモコン信号と当該コードテーブルとを照合することにより、外部機器１１３で起きた動作を特定することができる。なお、番組特定部１０７が保持するコードテーブルは、利用者が操作するリモコン装置１１２のメーカーと対応するものであればよく、情報再生装置１００が、予め複数のメーカー分のコードテーブルを保持しておき、どのメーカーのコードテーブルを用いるかを利用者が設定するか、或いはカスタムコード２０２を番組特定部１０７が解析して、受信した信号が、どのメーカーのリモコン装置１１２からの信号であるかを決定することとしても良い。
【００３７】
次に、番組特定部１０７は、このように特定された外部機器１１３の動作がチャンネル切り替えであるか否かを判断し、当該外部機器１１３の動作がチャンネル切り替えである場合には、当該切り替え先のチャンネルを特定する。
【００３８】
なお、図２に示すチャンネルボタンに対応する切り替え先のチャンネル（機器側の動作２０４で示されるチャンネル）は、通常、利用者が住む地域や都合等に合わせて、予め、外部機器１１３上で設定されるものであるから、本発明にかかる情報再生装置１００を利用する際には、初期設定として、番組特定部１０７が保持するコードテーブルに、外部機器１１３と同様のチャンネルボタンと切り替え先のチャンネルとの対応付け（以下、チャンネル設定と称する。）を行っておく必要がある。
【００３９】
図３は、情報再生装置１００において、このチャンネル設定を行う際の設定画面の一例を示したものであり、このような画面を外部機器１１３の表示画面を介して表示し、利用者の操作によって、外部機器１１３のチャンネル設定と同じ設定を予め情報再生装置１００においても行っておく。これにより、情報再生装置１００は、リモコン装置１１２から送信される信号に基づいて、外部機器１１３で受信されている切り替え先のチャンネルを特定することができる。なお、この図３に示したチャンネル設定の例では、情報再生装置１００において利用者がリモコン装置１１２の各ボタン毎にチャンネル設定を行う必要があるが、利用者が市外局番や地域番号を入力することにより、予め地域毎に決められたチャンネル設定を自動的に行うものであってもよい。
【００４０】
次に、番組特定部１０７は、特定されたチャンネル、記憶部１０５に記憶されたＥＰＧに含まれる情報、及び時計部１１１の時刻とから、利用者が外部機器１１３で視聴している番組を一つに特定する。
【００４１】
図４は、ＥＰＧを外部機器１１３に出力し、外部機器１１３の表示画面上に表したＥＰＧの一例である。図４に示すように、ＥＰＧの情報にはチャンネル、番組名、ジャンル、開始時刻、終了時刻、番組内容、キーワード等の情報が含まれている。
【００４２】
番組特定部１０７による番組の特定は、特定したチャンネル及び時計部１１１の時刻と、ＥＰＧに含まれるチャンネル、開始時刻、及び終了時刻の情報との照合を行うことによりなされる。
【００４３】
例えば、時刻２１時に視聴者が外部機器１１３で視聴しているチャンネルが２であると番組特定部１０７が特定した場合には、番組特定部１０７は、バラエティＣが外部機器１１３で視聴されている番組である、と特定することができる。
【００４４】
なお、利用者が外部機器１１３のチャンネルを素早く切り替えながら、番組を探している場合等では、利用者の嗜好が番組に反映されていない状態であるため、このときの番組を特定しても意味がない。そこで番組特定部１０７は、信号受信部１０６が信号を受信してから、一定の時間の間（例えば数十秒）、信号受信部１０６が新たなチャンネルを切り替える旨のリモコン信号を受信しなかった場合に初めて動作を行うようにしてもよい。これにより、利用者が一定の時間視聴した放送番組、即ち利用者の嗜好を反映していると思われる放送番組のみが特定され、当該放送番組の嗜好情報を蓄積することができる。
【００４５】
次に、情報再生装置１００の記憶部１０５に嗜好情報を記録するところまでを説明する。
番組特定部１０７は、特定した番組を嗜好蓄積部１０８に通知する。通知を受けた嗜好蓄積部１０８は記憶部１０５に嗜好情報を記録する。
【００４６】
ここで、嗜好情報について説明する。嗜好情報は、利用者の嗜好を示す情報であり、具体的には、利用者の番組放送の視聴履歴を番組名やジャンル、キーワード等の嗜好の対象となる情報毎にまとめたものである。
【００４７】
図５は、嗜好蓄積部１０８が記憶部１０５に記録する嗜好情報の一例を示す図である。
図５に示すように、嗜好情報は、嗜好識別子３０１と、嗜好データ３０２とからなる。嗜好識別子３０１は、蓄積する嗜好の対象（以下、嗜好対象と称する。）を特定する役割を有し、嗜好情報を記憶部１０５に記録したり読み出したりする際の管理情報となる。また、嗜好データ３０２は、嗜好対象に対する利用者の視聴履歴の内容を示す。そして、この例では、嗜好識別子３０１と嗜好データ３０２とからなる嗜好情報がテーブル状にまとめられて記憶されている。
【００４８】
なお、記憶部１０５に蓄積する嗜好対象には様々なものが考えられる。具体的には、ＥＰＧには、番組を特定するために用いたチャンネルの情報だけでなく、番組名、ジャンル、開始時刻、終了時刻、番組内容、キーワード等、番組に関する情報が含まれており、これらの一つ一つが利用者の嗜好の対象となりうる。例えば、図５の例でいえば、番組名に対する嗜好対象として「ドラマC」、「ドラマＦ」、「料理Ｂ」の各番組が嗜好対象となりえるし、ジャンルに対する嗜好対象として、「ドラマ」、「スポーツ」、「ニュース」の各ジャンルが嗜好対象となりえる。また、キーワードや時間帯に対しても図５に示すように種々の情報が嗜好対象となりえる。
【００４９】
また、図５に示すように、嗜好対象に対する利用者の視聴履歴を示す嗜好データ３０２は、ここでは、通算の視聴回数と通算の視聴時間で表しているが、例えば、月毎の視聴回数や視聴時間を嗜好データとして蓄積し、利用者の嗜好の移り変わりに対応できるようにしてもよく、嗜好データ３０２として蓄積する内容としては、嗜好対象に対する利用者の視聴履歴を示すものであればよい。
【００５０】
次に、このような嗜好情報を嗜好蓄積部１０８が記憶部１０５に記録する手順を図６のフローチャートを用いて説明する。
図６は、本発明の実施の形態１による嗜好蓄積部１０８が記憶部１０５に嗜好情報を蓄積する手順を説明するためのフローチャートである。なお、この嗜好蓄積部１０８の動作は、番組特定部１０７により特定された番組が嗜好蓄積部１０８に通知されることにより開始する。
【００５１】
（Ｓ１）番組特定部１０７により特定された番組が嗜好蓄積部１０８に通知されると、嗜好蓄積部１０８は、特定された番組のＥＰＧの情報を記憶部１０５から取得する。
【００５２】
（Ｓ２）次に、嗜好蓄積部１０８は、蓄積を行う嗜好対象を特定し、（Ｓ３）ステップＳ２で特定した嗜好対象となる情報がＥＰＧの情報の中に含まれているかの判断を行う。すなわち、嗜好蓄積部１０８が嗜好対象として例えば、番組名を特定した場合には、ＥＰＧの情報の中に、当該番組名に関する情報が含まれているか否かを判断することとなる。この時、嗜好対象となる情報がＥＰＧの情報の中に含まれている場合にはステップＳ４に行き、含まれていない場合にはステップＳ７に行く。
【００５３】
（Ｓ４）嗜好対象となる情報がＥＰＧの情報の中に含まれている場合には、嗜好蓄積部１０８は、当該嗜好対象に合致したＥＰＧの情報を取得し、取得したＥＰＧの情報に関する嗜好情報が、記憶部１０５に蓄積されているか否かを検索する。すなわち、ＥＰＧの嗜好対象に合致した情報がドラマＣであった場合には、嗜好蓄積部１０８は、当該ＥＰＧの嗜好対象に合致した情報（ドラマＣ）を取得し、取得したドラマＣに関する嗜好情報が記憶部１０５に蓄積されているか否かを検索することとなる。この時、取得したＥＰＧの情報に関する嗜好情報が記憶部１０５に蓄積されている場合にはステップＳ６に行き、蓄積されていない場合にはステップＳ５に行く。
【００５４】
（Ｓ５）取得したＥＰＧの情報に関する嗜好情報が記憶部１０５に蓄積されていない場合には、嗜好蓄積部１０８は、記憶部１０５内に、当該ＥＰＧの情報に関する嗜好情報を蓄積する領域を確保する。なお、嗜好情報を蓄積する領域を確保できない場合には、新たに蓄積領域を確保すればよく、例えば、更新履歴が最も古い嗜好情報を削除して、当該削除した領域を新たな嗜好情報の蓄積領域とすればよい。
【００５５】
（Ｓ６）次に、嗜好蓄積部１０８は、記憶部１０５内のＥＰＧの情報に関する嗜好情報を更新する。例えば、蓄積を行う嗜好データ（図５の３０２）が通算の視聴回数と視聴時間である場合には、嗜好蓄積部１０８は、嗜好情報の更新動作として、視聴回数をインクリメントするとともに、利用者が今回番組を視聴した時間を通算視聴時間に加算することとなる。なお、利用者の放送番組の視聴時間は、時計部１１１を用いて測定しておけばよい。
【００５６】
（Ｓ７）最後に、嗜好蓄積部１０８は、蓄積を行う嗜好対象のすべてについて、Ｓ２からＳ６の処理が行われたか否かの判断を行う。すべての嗜好対象についてＳ２からＳ６の処理が行われている場合には嗜好情報の蓄積処理を終了し、すべての嗜好対象についてＳ２からＳ６の処理が行われていない場合には処理が行われていない嗜好対象を再びステップＳ２で特定して同様の処理を繰り返す。
【００５７】
なお、嗜好情報として蓄積する嗜好の対象は、予めユーザが設定を行う等することにより、情報再生装置毎に任意に定めることができ、例えば、番組名に対してだけといったパターンや、ジャンルとキーワードに対してだけといったパターンで嗜好情報の蓄積を行ってもよい。
【００５８】
なお、利用者が、情報再生装置１００の操作部１０１を操作して番組を記録再生する際にも、情報再生装置１００が利用者の嗜好情報を蓄積するものである場合には、当該蓄積を行っている嗜好情報の対象と合わせた嗜好対象をステップＳ１により特定することが好ましい。例えば、情報再生装置１００が操作されることにより蓄積を行う嗜好情報の対象が、ＥＰＧの番組名、ジャンル、キーワードであれば、外部機器１１３で表示される番組放送に対する嗜好対象もまた番組名、ジャンル、キーワドとすることにより、情報再生装置１００を利用しているときでも、外部機器１１３を利用しているときでも同様の嗜好情報を記録することができる。
【００５９】
最後に、記憶部１０５に記録された嗜好情報を用いて、ＥＰＧ検索の強化を図るところまでを説明する。
利用者が操作部１０１を操作して、ＥＰＧを利用した番組検索を行うためのメニュー画面を表示することを指示すると、入力制御部１０２から番組表作成部１１０に対して利用者の放送番組の嗜好を反映した検索画面を作成する旨の信号が出力される。
番組表作成部１１０は、嗜好蓄積部１０８によって記憶部１０２に蓄積された嗜好情報に基づいて番組表を作成する。
【００６０】
図７、図８は、番組表作成部１１０が作成し、外部機器１１３に表示された番組表の一例であり、利用者は、利用者の嗜好が反映された番組表を用いて以下のように番組検索を行うことができる。
先ず、利用者が操作部１０１を操作して、ＥＰＧを利用した番組検索を行う旨の指示をすると、図７に示すような番組検索メニューが表示される。
【００６１】
図７において、番組検索メニューは、番組名検索４０１、キーワード検索４０２、ジャンル検索４０３、キーワードお好み検索４０４、ジャンルお好み検索４０５とからなり、番組名検索４０１、キーワード４０２、ジャンル検索検索４０３はＥＰＧの情報のみに基づく番組検索方法であり、キーワードお好み検索４０４、ジャンルお好み検索４０５は、ＥＰＧの情報とともに、記録装置１０５に記録された嗜好情報をもとにした番組検索方法である。
【００６２】
そして、例えば、利用者がキーワードお好み検索４０４を選択した場合の一例を図８に示す。この例では、画面左に、嗜好情報により示される利用者の嗜好に合致する「キーワード」が順に並べられており、画面右には、選択された「キーワード」と合致する番組名が表示されている。なお、ここで、画面左に表示されるキーワードは、利用者の視聴頻度が高いものから順に並べられているものとする。
【００６３】
図８に示すように、例えば、キーワードとして「温泉」を選択した場合には、番組検索部１１０は記憶部１０５に記録されたＥＰＧから、キーワード「温泉」を含む番組を検索し、該当する番組のＥＰＧを画面右に表示する。
利用者は、この画面右に表示された番組情報を直接選択して記憶部１０５に記録されている番組放送を再生してもよいし、番組の録画予約を行っても良い。
【００６４】
このように、本発明の実施の形態１による情報再生装置１００は、外部機器１１３で表示されている番組を外部機器１１３に対して発信されるリモコン信号を解析することにより特定し、当該番組に関する嗜好情報を蓄積する構成とすることにより、情報再生装置１００を利用して番組録画等を行った場合のみならず、外部機器１１３で番組放送を視聴した場合であっても、情報再生装置１００の記憶部１０５に利用者の嗜好情報を蓄積することができ、例えば、外部機器１１３を日常的に視聴する利用者が、急に情報再生装置１００を用いた番組検索を行うような場合であっても、利用者は、多チャンネルの中から自己の好む番組を効率よく検索したり、表示したりすることができる。
【００６５】
（実施の形態２）
次に、本発明の実施の形態２による情報再生装置５００について、図９を用いて説明する。
図９は、本実施の形態２による情報再生装置５００の構成を示すブロック図である。
図９に示すように、情報再生装置５００は、前述した実施の形態１による情報再生装置１００の番組特定部１０７に代えて信号解析部５０１と音声マッチング部５０２を新たに設けたものである。以下に、この新たに設けた信号解析部５０１と音声マッチング部５０２について説明する。
【００６６】
信号解析部５０１は、信号受信部１０６で受信したリモコン信号を解析し、記憶部１０５に同一のリモコン信号が記録されているか解析するとともに、同一のリモコン信号が記録されている場合には、当該リモコン信号により示されるチャンネル、番組を特定する。また、同一のリモコン信号が記録されていない場合には、その旨を音声マッチング部５０２に通知する。
【００６７】
音声マッチング部５０２は、外部機器１１３で再生されている番組放送の音声と、番組受信部１０３で受信されている音声とを比較し、外部機器で表示されている番組を特定する。
【００６８】
次に、情報再生装置５００の信号解析部５０１と音声マッチング部５０２による動作について説明する。
信号解析部５０１は信号受信部１０６がリモコン信号を受信すると、まず同一のリモコン信号が記憶部１０５に記録されているか判断する。なお、同一のリモコン信号とは、一度受信したリモコン信号を記憶部１０５に記録したものであり、後述する音声マッチング部５０２を効率よく動作させるためのものである。
すなわち、同一のリモコン信号が記憶部１０５に記録されているならば、信号解析部５０１は、当該記憶部１０５に記録されているリモコン信号に対応するチャンネルと、記憶部１０５に記憶されているＥＰＧ、及び時計部１１１の時刻から、利用者が外部機器１１３で視聴している番組を一つに特定し、音声マッチング部５０２を動作させることなく利用者が視聴している番組を特定することができる。
【００６９】
信号解析部５０１は、同一のリモコン信号が記憶部１０５に記録されていない場合には、音声マッチング部５０２に外部機器１１３で再生されている番組放送を特定する旨を通知する。
【００７０】
通知を受けた音声マッチング部５０２は、外部機器１１３で再生されている音声を受信する。なお、この受信方法は外部機器１１３のスピーカーから出力される音声を音声マッチング部５０２にマイクを設けて受信してもよいし、外部機器１１３のイヤホンジャックと音声マッチング部５０２を接続して受信してもよい。
【００７１】
音声マッチング部５０２は受信した外部機器１１３の音声と、番組受信部１０３で受信される番組放送の音声とを比較し、外部機器１１３で再生されている番組を特定する。
【００７２】
この音声マッチング部５０２による番組の特定は、番組受信部１０３で受信するチャンネルを次々と切り替えながら行い、外部機器１１３の音声と一致するまで行うか、あるいは外部機器１１３で受信可能な全てのチャンネルと比較を行い、最も音声が一致するチャンネルを利用者の視聴している番組であると特定してもよい。
【００７３】
なお、音声マッチング部５０２による番組の特定については、特に限定はなく、その他にも、本実施の形態２による情報再生装置５００のように、外部機器１１３の番組放送と情報再生装置５００の番組放送が同時に受信されるものである場合には、リアルタイムに波形を比較することも可能である。
【００７４】
そして、音声マッチング部５０２が外部機器１１３で再生されている番組のチャンネルを特定すると、音声マッチング部５０２は、信号解析部５０１が受信したリモコン信号と、音声マッチング部５０２が特定したチャンネルとを対応付けて、記憶部１０５に記録する。具体的には、図２に示したコードテーブルのようにカスタムコード２０２、データコード２０３、機器側の動作２０４についてそれぞれ記憶させればよい。これにより、次に同じリモコン信号が受信された場合には、信号解析部５０１により、利用者の視聴番組を特定することができるため、音声マッチング部５０２を動作させる必要がなく、動作コスト削減につながる。
【００７５】
ところで、利用者が外部機器１１３のチャンネルを素早く切り替えながら、番組を探している場合等では、利用者の嗜好が番組に反映されていない状態であるため、このときに嗜好情報を記録しても意味がない。そこで信号解析部５０１は信号受信部１０６が信号を受信してから、一定の時間の間（例えば数十秒）、信号受信部１０６が新たなチャンネルを切り替える旨のリモコン信号を受信しなかった場合に初めて動作を行うようにしてもよい。これにより、利用者が一定の時間視聴した放送番組、即ち利用者の嗜好を反映していると思われる放送番組に対してのみ、嗜好情報を蓄積することができる。
【００７６】
また、リモコン装置１１２から発信されるリモコン信号は、チャンネル切り替え信号以外に音量切り替え信号や設定関連の指示を行う信号など、さまざまな信号が信号受信部１０６に発信されるものと考えられる。そこで、音声マッチング部５０１は、前回の音声マッチングにより特定した番組のチャンネルを保持しておく。そして、次回のリモコン信号の受信時に音声マッチングにより特定した番組のチャンネルが、保持されているチャンネルと同じであるならば、チャンネルが変化していない、即ちリモコン装置１１２において、チャンネルボタン以外のボタンが押されたことを意味することから、音声マッチング部５０２は、嗜好蓄積部１０８に対して嗜好情報を蓄積すべき旨の信号を出力しない。また、このようにチャンネルを切り替える旨の信号以外のリモコン信号を受信した場合には、図１０の一例に示すように、当該受信したリモコン信号をチャンネルを切り替える旨の信号以外の信号として記憶部１０５に記録しておけば、以降、同一の信号を受信した場合には、音声マッチング部５０１を動作させる必要がなくなる。
【００７７】
また、音声マッチング部５０２が外部機器１１３の音声と、番組受信部１０３で受信される全ての番組放送の音声とを比較した結果、利用者が視聴している番組のチャンネルを特定することができなかった場合には、何らかの原因で、たまたま番組を特定できなかった可能性がある。そこで音声マッチング５０２はこのような場合、一定の時間をおいて、再度始めから音声の比較を行うこととしてもよい。
【００７８】
このようにして、信号解析部５０１、または音声マッチング部５０２は、利用者が外部機器１１３で視聴している番組を特定し、特定した番組を嗜好蓄積部１０８に通知する。そして、当該通知を受けた嗜好蓄積部１０８は、特定された番組、及びＥＰＧに含まれる情報に基づいて、視聴者の嗜好情報を記憶部１０５に蓄積することとなる。なお、この嗜好蓄積部１０８の動作は、前述した実施の形態１による情報再生装置１００によるものと同じであるため、ここでは説明を省略する。
【００７９】
また、記憶部１０５に記録された嗜好情報を用いて、番組表作成部１１０が番組表を作成し、表示する動作についても、前述した実施の形態１による情報再生装置１００によるものと同じであるため、ここでは説明を省略する。
【００８０】
このように、本発明の実施の形態２による情報再生装置５００は、外部機器１１３で表示されている番組を外部機器１１３で再生されている番組放送の音声と、番組受信部１０３で受信されている音声とのマッチングを行うことにより特定して、当該番組に関する利用者の嗜好情報を蓄積する構成をとることにより、利用者が外部機器１１３と同様のチャンネル設定を情報再生装置５００に対していちいち行う必要がなく、外部機器１１３で表示されている番組を特定することができるとともに、情報再生装置１００を利用して番組録画等を行った場合のみならず、外部機器１１３で番組放送を視聴した場合であっても、情報再生装置１００の記憶部１０５に利用者の嗜好情報を蓄積することができ、例えば、外部機器１１３を日常的に視聴する利用者が、急に情報再生装置１００を用いた番組検索を行うような場合であっても、利用者は、多チャンネルの中から自己の好む番組を効率よく検索したり、表示したりすることができる。
【００８１】
なお、本発明の実施の形態１及び２では、番組放送に付してＥＰＧを供給するものについて説明したが、ＥＰＧの供給形態は特に限定されず、例えば、ネットワークを介してサーバからダウンロードされるものでもよい。但し、この場合はネットワークとのやりとりを行う入出力部を新たに備える必要がある。
【００８２】
【発明の効果】
以上のように、本発明の請求項１にかかる情報再生装置は、放送番組と当該放送番組に関する情報である番組情報とを受信するとともに、放送された番組放送を録画し、録画した前記番組放送を再生する情報再生装置であって、他の機器のリモコン信号を受信する信号受信手段と、時刻を知らせる時計手段と、前記信号受信手段によって受信した他の機器のリモコン信号と、前記時計手段の時刻と、前記番組情報とから、他の機器で利用者が視聴している番組を特定する番組特定手段と、データを記憶する記憶手段と、前記番組情報に基づいて、前記番組特定手段によって特定された番組に関する利用者の好みを反映した嗜好情報を、前記記憶手段に記録する嗜好蓄積手段と、前記記憶手段に記録された嗜好情報を用いて番組表を作成する番組表作成手段とを備えることを特徴とするものであり、利用者が他の機器により番組放送を視聴しているときであっても、利用者の嗜好情報を蓄積することができ、より利用者の好みを反映した番組の検索方式を利用者に提供することができる。
【００８３】
また、本発明の請求項２にかかる情報再生装置は、放送番組と当該放送番組に関する情報である番組情報とを受信するとともに、放送された番組放送を録画し、録画した前記番組放送を再生する情報再生装置であって、他の機器のリモコン信号を受信する信号受信手段と、前記信号受信手段が他の機器のリモコン信号を受信したとき、他の機器で現在再生されている番組放送の音声と、該情報再生装置で現在受信している番組放送の音声とを比較し、他の機器で視聴されている番組を特定する音声マッチング手段と、データを記憶する記憶手段と、前記音声マッチング手段によって特定された番組に関する利用者の好みを反映した嗜好情報を、前記記憶手段に記録する嗜好蓄積手段と、前記記憶手段に記録された嗜好情報を用いて番組表を作成する番組表作成手段とを備えることを特徴とするものであり、利用者が他の機器と同様のチャンネル設定を情報再生装置に対して行うが必要なく、情報再生装置が他の機器で表示されている番組を特定することができるとともに、利用者が他の機器により番組放送を視聴しているときであっても、利用者の嗜好情報を蓄積することができ、より利用者の好みを反映した番組の検索方式を利用者に提供することができる。
【００８４】
また、本発明の請求項３にかかる情報再生装置は、請求項１または請求項２に記載の情報再生装置において、前記嗜好情報は、放送番組の番組名、ジャンル、或いはキーワードに対する、利用者の視聴履歴を反映した情報であることを特徴とするものであり、利用者が他の機器により番組放送を視聴しているときであっても、放送番組の番組名、ジャンル、或いはキーワード別に利用者の嗜好情報を蓄積することができ、より利用者の好みを反映した番組の検索方式を利用者に提供することができる。
【００８５】
また、本発明の請求項４にかかる情報再生装置は、請求項１または請求項２に記載の情報再生装置において、前記嗜好情報は、前記番組表作成手段と前記嗜好蓄積手段が、前記記憶手段に記録されている嗜好情報を管理するために用いる嗜好情報識別子と、放送番組の番組名、ジャンル、或いはキーワードに対する、利用者の視聴履歴を表す嗜好データとからなることを特徴とするものであり、嗜好情報識別子を用いることにより、データの管理が容易になり、利用者が他の機器により番組放送を視聴しているときであっても、放送番組の番組名、ジャンル、或いはキーワード別に利用者の嗜好情報を蓄積することができ、より利用者の好みを反映した番組の検索方式を利用者に提供することができる。
【００８６】
また、本発明の請求項５にかかる情報再生装置は、請求項４に記載の情報再生装置において、前記嗜好データは、放送番組の番組名、ジャンル、或いはキーワードに対する、通算視聴回数であることを特徴とするものであり、利用者が他の機器により番組放送を視聴しているときであっても、放送番組の番組名、ジャンル、或いはキーワード別の利用者の通算視聴回数を蓄積することができ、より利用者の好みを反映した番組の検索方式を利用者に提供することができる。
【００８７】
また、本発明の請求項６にかかる情報再生装置は、請求項４に記載の情報再生装置において、前記嗜好データは、放送番組の番組名、ジャンル、或いはキーワードに対する、視聴開始時からの通算視聴時間であることを特徴とするものであり、利用者が他の機器により番組放送を視聴しているときであっても、放送番組の番組名、ジャンル、或いはキーワード別の利用者の通算視聴時間を蓄積することができ、より利用者の好みを反映した番組の検索方式を利用者に提供することができる。
【００８８】
また、本発明の請求項７にかかる情報再生装置は、請求項１に記載の情報再生装置において、前記番組特定手段は、前記信号受信手段からチャンネルを切り替える旨を指示するリモコン信号を受けた後、一定の時間内に、他の新たなチャンネルを切り替える旨を指示するリモコン信号を受信しなかった場合に動作することを特徴とするものであり、利用者がチャンネルを切り替えながら番組を捜している場合の嗜好情報を蓄積することなく、利用者の嗜好を反映していると思われる放送番組に対してのみ、嗜好情報を蓄積することができる。
【００８９】
また、本発明の請求項８にかかる情報再生装置は、請求項２に記載の情報再生装置において、前記音声マッチング手段は、前記信号受信手段からチャンネルを切り替える旨を指示するリモコン信号を受けた後、一定の時間内に、他の新たなチャンネルを切り替える旨を指示するリモコン信号を受信しなかった場合に動作することを特徴とするものであり、利用者がチャンネルを切り替えながら番組を捜している場合の嗜好情報を蓄積することなく、利用者の嗜好を反映していると思われる放送番組に対してのみ、嗜好情報を蓄積することができる。
【００９０】
また、本発明の請求項９にかかる情報再生装置は、請求項２に記載の情報再生装置において、前記音声マッチング手段は、さらに、他の機器で視聴されている番組を特定した後に、当該番組のチャンネルと、前記信号受信手段が受信したリモコン信号とを対にして、前記記憶手段に記憶するとともに、該情報再生装置は、時刻を知らせる時計手段と、前記記憶手段に記憶した、チャンネルとリモコン信号とを対にした情報に基づいて、前記信号受信手段が受信したリモコン信号が初めて受信するものであるか否かを判別し、受信したリモコン信号が初めて受信するリモコン信号である場合には、前記音声マッチング手段に番組を特定する旨を通知し、受信したリモコン信号が初めて受信するリモコン信号でない場合には、前記記憶手段に記憶されているリモコン信号に対応するチャンネルと前記時計手段の時刻と前記番組情報とから、他の機器で利用者が視聴している番組を特定して嗜好蓄積手段に該特定した番組を通知する、信号解析手段とをさらに備えることを特徴とするものであり、同じリモコン信号が信号受信手段により受信された場合には、音声マッチング手段を動作させる必要がないので動作コストの削減につながる。
【００９１】
また、本発明の請求項１０に記載の情報再生装置は、請求項９に記載の情報再生装置において、前記信号解析手段は、前記信号受信手段からチャンネルを切り替える旨を指示するリモコン信号を受けた後、一定の時間内に、他の新たなチャンネルを切り替える旨を指示するリモコン信号を受信しなかった場合に動作することを特徴とするものであり、利用者がチャンネルを切り替えながら番組を捜している場合の嗜好情報を蓄積することなく、利用者の嗜好を反映していると思われる放送番組に対してのみ、嗜好情報を蓄積することができる。
【００９２】
また、本発明の請求項１１に記載の情報再生装置は、請求項２または請求項１０に記載の情報再生装置において、前記音声マッチング手段は、他の機器で現在再生されている番組放送の音声と、情報再生装置で現在受信している番組放送の音声とが一致するまで、該情報再生装置の受信チャンネルを切り替えながら音声の比較を行うことにより他の機器で視聴されている番組を特定することを特徴とするものであり、利用者が他の機器と同様のチャンネル設定を情報再生装置に対して行う必要がなく、情報再生装置が他の機器で表示されている番組を特定することができるとともに、利用者が他の機器により番組放送を視聴しているときであっても、利用者の嗜好情報を蓄積することができ、より利用者の好みを反映した番組の検索方式を利用者に提供することができる。
【００９３】
また、本発明の請求項１２に記載の情報再生装置は、請求項２または請求項１０に記載の情報再生装置において、前記音声マッチング手段は、他の機器で現在再生されている番組放送の音声と、該情報再生装置で現在受信することが可能な全ての番組放送の音声とを比較し、もっとも一致するものを他の機器で現在再生されている番組であると特定することを特徴とするものであり、利用者が他の機器と同様のチャンネル設定を情報再生装置に対して行う必要がなく、情報再生装置が他の機器で表示されている番組を特定することができるとともに、利用者が他の機器により番組放送を視聴しているときであっても、利用者の嗜好情報を蓄積することができ、より利用者の好みを反映した番組の検索方式を利用者に提供することができる。
【００９４】
また、本発明の請求項１３に記載の情報再生装置は、請求項１１または請求項１２に記載の情報再生装置において、前記音声マッチング手段は、他の機器で現在再生されている番組を一つに特定できない場合には、一定の時間経過後、改めて番組の特定を行うことを特徴とするものであり、何らかの原因によってたまたま番組を特定できなかった場合であっても、一定の時間経過後の再度の番組の特定により番組を特定することができれば、より多くの利用者の嗜好情報を蓄積することができ、より利用者の好みを反映した番組の検索方式を利用者に提供することができる。
【００９５】
また、本発明の請求項１４に記載の情報再生装置は、請求項２、または請求項１１から請求項１３のいずれかに記載の情報再生装置において、前記音声マッチング手段は、他の機器のイヤホンジャックから出力される音声と、該情報再生装置で現在受信している番組放送の音声とを比較し、他の機器で視聴されている番組を特定することを特徴とするものであり、利用者が他の機器と同様のチャンネル設定を情報再生装置に対して行うが必要なく、情報再生装置が他の機器で表示されている番組を特定することができるとともに、利用者が他の機器により番組放送を視聴しているときであっても、利用者の嗜好情報を蓄積することができ、より利用者の好みを反映した番組の検索方式を利用者に提供することができる。
【００９６】
また、本発明の請求項１５に記載の情報再生装置は、請求項１１ないし請求項１３のいずれかに記載の情報再生装置において、前記音声マッチング手段は一回前に特定した番組のチャンネルを保持し、特定した番組のチャンネルが、前記保持したチャンネルと同じであるならば、前記嗜好蓄積手段に嗜好情報の記録を行うことを通知しないことを特徴とするものであり、信号受信手段がチャンネル切り替え信号以外の信号を受信する毎に音声マッチング手段を動作させる必要がなくなるので、動作コストの削減につながる。
【００９７】
また、本発明の請求項１６に記載の情報再生装置は、請求項１５に記載の情報再生装置において、前記音声マッチング手段は、特定した番組のチャンネルが、一回前に特定した番組のチャンネルと同じである場合には、前記信号受信手段が受信したリモコン信号がチャンネルを切り替える旨の信号でないものとして前記記憶手段に記憶させることを特徴とするものであり、再度信号受信手段が同じリモコン信号を受信した場合には、チャンネル切り替え信号以外の信号であると判断することができるため、音声マッチング手段を動作させる必要がなく、動作コストの削減につながる。
【図面の簡単な説明】
【図１】本発明の実施の形態１による情報再生装置の構成を示すブロック図である。
【図２】本発明の実施の形態１によるリモコン装置のコードテーブルの一例を示す図である。
【図３】本発明の実施の形態１による情報再生装置のチャンネル設定画面の一例を示す図である。
【図４】ＥＰＧを表示した表示画面の一例を示す図である。
【図５】本発明の実施の形態１による嗜好蓄積部が記憶部に記憶する嗜好情報の一例を示す図である。
【図６】本発明の実施の形態１による嗜好蓄積部の動作を説明するためのフローチャートである。
【図７】本発明の実施の形態１による番組表作成部が外部機器に出力する番組表の一例を示す図である。
【図８】本発明の実施の形態１による番組表作成部が外部機器に出力する番組表の一例を示す図である。
【図９】  本発明の実施の形態２による情報再生装置の構成を示すブロック図である。
【図１０】  本発明の実施の形態２による記憶部に記録されるリモコン信号の一例を示す図である。
【符号の説明】
１００、５００    情報再生装置
１０１    操作部
１０２    入力制御部
１０３    番組受信部
１０４    情報記録部
１０５    記憶部
１０６    信号受信部
１０７    番組特定部
１０８    嗜好蓄積部
１０９    情報再生部
１１０    番組表作成部
１１１    時計部
１１２    リモコン装置
１１３    外部機器
２０１    リモコン装置のボタン
２０２    カスタムコード
２０３    データコード
２０４    機器側の動作
３０１    嗜好識別子
３０２    嗜好データ
４０１    番組名検索
４０２    キーワード検索
４０３    ジャンル検索
４０４    キーワードお好み検索
４０５    ジャンルお好み検索
５０１    信号解析部
５０２    音声マッチング部
【図１】
0003872980.tif 000002
【図２】
0003872980.tif 000003
【図３】
0003872980.tif 000004
【図４】
0003872980.tif 000005
【図５】
0003872980.tif 000006
【図６】
0003872980.tif 000007
【図７】
0003872980.tif 000008
【図８】
0003872980.tif 000009
【図９】
0003872980.tif 000010
【図１０】
0003872980.tif 000011